(57)【要約】【課題】光軸方向に外力が作用した場合と光軸と直交する方向に外力が作用した場合のいずれの場合でも破損し難いレンズ鏡筒を提供する。【解決手段】レンズ鏡筒１００は、レンズ５０を保持する直進筒１０と、フィルタ取り付け部を有するフィルタ枠２０と、径方向においてフィルタ枠２０と嵌合する嵌合部３０ｂを有する外装環３０と、フィルタ枠２０と外装環３０を直進筒１０に固定する複数のビス４０を備える。レンズ鏡筒１００を、光軸ＯＡと平行な方向において嵌合部３０ｂがビス４０と異なる位置に配置され、フィルタ枠２０の外周側においてフィルタ枠２０と外装環３０の間に第１の間隙部３２を形成され、フィルタ枠２０の直進筒１０側においてフィルタ枠２０と外装環３０との間に第２の間隙部３３が形成された構造とする。【選択図】図２
2019113678.tif 000002
【特許請求の範囲】
【請求項１】
光学部材を保持する第１の筒状部品と、
光学部品の取り付け部を有する第２の筒状部品と、
前記第２の筒状部品の径方向において前記第２の筒状部品と嵌合する嵌合部を有する第３の筒状部品と、
前記第２の筒状部品と前記第３の筒状部品を前記第１の筒状部品に固定する複数の固定部材と、を備えるレンズ鏡筒であって、
前記レンズ鏡筒の光軸と平行な方向において、前記嵌合部は前記固定部材と異なる位置に配置され、
前記第２の筒状部品の外周側において前記第２の筒状部品と前記第３の筒状部品の間に第１の間隙部が形成され、前記第２の筒状部品の前記第１の筒状部品側において前記第２の筒状部品と前記第３の筒状部品の間に第２の間隙部が形成されていることを特徴とするレンズ鏡筒。
【請求項２】
前記第１の間隙部と前記第２の間隙部は、前記光軸と直交する方向において前記光軸を挟んで互いに反対側となる位置に設けられていることを特徴とする請求項１に記載のレンズ鏡筒。
【請求項３】
前記レンズ鏡筒が正姿勢にあるときに、前記レンズ鏡筒の先端部上側に前記第１の間隙部が設けられ、前記レンズ鏡筒の先端部下側に前記第２の間隙部が設けられていることを特徴とする請求項２に記載のレンズ鏡筒。
【請求項４】
前記第２の間隙部には前記固定部材が配置されていないことを特徴とする請求項１乃至３のいずれか１項に記載のレンズ鏡筒。
【請求項５】
前記第２の筒状部品は、遮光部材を固定するために周方向の一部に形成された鍔部を有し、
前記複数の固定部材の一部は、前記鍔部が形成されている範囲内に配置されていることを特徴とする請求項１乃至４のいずれか１項に記載のレンズ鏡筒。
【請求項６】
請求項１乃至５のいずれか１項に記載のレンズ鏡筒を備えることを特徴とする光学機器。
【請求項７】
光学部材を保持する第１の筒状部品と、
光学部品の取り付け部を有し、前記第１の筒状部品に固定される第２の筒状部品と、
前記第２の筒状部品の径方向において前記第２の筒状部品と嵌合し、前記第１の筒状部品に固定される第３の筒状部品と、を備えるレンズ鏡筒であって、
前記レンズ鏡筒の光軸と直交する方向において前記光軸を挟んで互いに反対側となる位置に第１の衝撃吸収部と第２の衝撃吸収部がそれぞれ設けられ、
前記第１の衝撃吸収部は、前記第３の筒状部品に対して外部から径方向に作用する外力を吸収し、前記第２の衝撃吸収部は、前記第２の筒状部品に対して外部から光軸方向に作用する外力を吸収することを特徴とするレンズ鏡筒。
【発明の詳細な説明】
【技術分野】
【０００１】
本発明は、レンズ鏡筒及び光学機器に関する。
【背景技術】
【０００２】
例えば、撮像装置を構成するレンズ鏡筒は内部に複数のレンズ群を有しており、各レンズ群は、高い光学性能を維持するために高精度に位置決めされている。レンズ鏡筒には、焦点距離が長く、遠方の被写体を大きく撮影することが可能なものがあるが、このようなレンズ鏡筒は一般的に鏡筒全長（レンズ鏡筒の光軸方向の長さ）が長くなることが多い。
【０００３】
ここで、ユーザは一般的に、撮像装置本体（カメラボディ）にストラップを取り付け、ストラップを首に掛けて撮像装置を体の前にぶら下げた状態で、或いは、ストラップを肩に掛けて撮像装置を体の横にぶら下げた状態で、撮影場所を移動することが多い。或いは、ユーザは、撮像装置本体を把持して持ち運ぶことも多い。このようにして鏡筒全長の長いレンズ鏡筒が装着されている撮像装置を持ち運ぶ際には、撮像装置の重心が撮像装置本体ではなくレンズ鏡筒にある状態となるため、レンズ鏡筒の先端が下を向いた状態となることが多い。レンズ鏡筒の先端が下を向いた状態で持ち運ばれているときに撮像装置の落下や障害物への衝突等が発生した場合には、レンズ鏡筒の先端が衝撃を受けることが多いと考えられる。
【０００４】
そこで、筒状部材の先端部において空間を形成するように環状部材を配置し、環状部材と筒状部材の先端部との間に付勢部材を配置した衝撃吸収機構が提案されている（例えば、特許文献１参照）。この衝撃吸収機構では、環状部材が外力を受けたときに、付勢部材の付勢力に抗して筒状部材の先端部に設けられた空間において環状部材が移動することにより外部からの衝撃を吸収する。
【先行技術文献】
【特許文献】
【０００５】
【特許文献１】特開平１０−２９３２３８号公報
【発明の概要】
【発明が解決しようとする課題】
【０００６】
上記特許文献１に記載された技術は、レンズ鏡筒に対して光軸方向に外力が加わった状況を想定しており、光軸と直交する方向に外力が作用した際に外力を吸収する構造とはなっていない。しかし、撮影時や撮像装置を持ち運ぶ際には、光軸方向以外の方向から衝撃を受けることが起こり得る。
【０００７】
本発明は、光軸方向に外力が作用した場合と光軸と直交する方向に外力が作用した場合のいずれの場合でも破損し難いレンズ鏡筒を提供することを目的とする。
【課題を解決するための手段】
【０００８】
本発明に係るレンズ鏡筒は、光学部材を保持する第１の筒状部品と、光学部品の取り付け部を有する第２の筒状部品と、前記第２の筒状部品の径方向において前記第２の筒状部品と嵌合する嵌合部を有する第３の筒状部品と、前記第２の筒状部品と前記第３の筒状部品を前記第１の筒状部品に固定する複数の固定部材と、を備えるレンズ鏡筒であって、前記レンズ鏡筒の光軸と平行な方向において、前記嵌合部は前記固定部材と異なる位置に配置され、前記第２の筒状部品の外周側において前記第２の筒状部品と前記第３の筒状部品の間に第１の間隙部が形成され、前記第２の筒状部品の前記第１の筒状部品側において前記第２の筒状部品と前記第３の筒状部品の間に第２の間隙部が形成されていることを特徴とする。
【発明の効果】
【０００９】
本発明によれば、光軸方向に外力が作用しても、また、光軸と直交する方向に外力が作用しても、破損の生じ難いレンズ鏡筒を実現することができる。
【図面の簡単な説明】
【００１０】
【図１】撮像装置を吊り下げた状態を示す図である。
【図２】レンズ鏡筒の正面図と、正面図に示す矢視Ｂ−Ｂでの断面図である。
【図３】第１の衝撃吸収部の拡大図である。
【図４】フードが装着されたレンズ鏡筒の正面図と、正面図に示す矢視Ｅ−Ｅの断面図である。
【発明を実施するための形態】
【００１１】
以下、本発明の実施形態について、添付図面を参照して詳細に説明する。以下の説明において、撮像装置とは、撮像装置本体（カメラボディ）とレンズ鏡筒を備えるものを指す。レンズ鏡筒は、以下の説明では、カメラボディに対して着脱可能な交換レンズであるとするが、レンズ鏡筒はカメラボディと一体的（カメラボディに対して着脱不可）であってもよい。
【００１２】
最初に、撮像装置が衝撃を受けやすい方向について説明する。図１は、撮像装置３００をストラップ４００で吊り下げた状態を示す図である。撮像装置３００は、レンズ鏡筒１００とカメラボディ２００を有し、ストラップ４００はカメラボディ２００に取り付けられている。撮像装置３００はストラップ４００によって略鉛直方向に吊り下げられており、レンズ鏡筒１００の先端が下方を向く姿勢となっているものとする。なお、レンズ鏡筒１００は、図１の姿勢になる限りにおいて限定されないが、一般的に、光軸方向の全長の長いレンズ鏡筒の場合に図１の姿勢になりやすい。
【００１３】
撮像装置３００を図１の状態で地面Ｐ１に落下させてしまうシーンを想定した場合、矢印Ａ１方向の衝撃力がレンズ鏡筒１００の先端部下側に加わることが多い。この矢印Ａ１方向からレンズ鏡筒１００に加わる衝撃力は主に、レンズ鏡筒１００の先端部の下側において光軸方向に作用する。一方、撮像装置３００を障害物の一例である壁Ｐ２に当ててしまうシーンを想定した場合、矢印Ａ２方向の衝撃力がレンズ鏡筒１００の先端部上側に加わることが多い。この矢印Ａ２方向からレンズ鏡筒１００に加わる衝撃力は主に、レンズ鏡筒１００の先端部の上側において光軸方向と直交する方向に作用する。
【００１４】
なお、レンズ鏡筒１００の先端部下側とは、レンズ鏡筒１００の光軸ＯＡを水平方向と略平行として撮像装置３００を正姿勢で構えたときの鉛直方向における下側（地面側）の部分を指す。同様に、レンズ鏡筒１００の先端部上側とは、レンズ鏡筒１００の光軸ＯＡを水平方向と略平行として撮像装置３００を正姿勢で構えたときの鉛直方向における上側（空側）の部分を指す。よって、レンズ鏡筒１００の先端部下側と先端部上側とは、で光軸ＯＡと直交する方向で光軸ＯＡを挟んだ反対側の部分である。撮像装置３００を正姿勢で構えた状態とは、図１に示す撮像装置３００を時計まわりに回転させて、レンズ鏡筒１００の光軸ＯＡが水平方向（地面Ｐ１）と略平行となった状態を指す。
【００１５】
本実施形態では、レンズ鏡筒１００の先端が下方を向いた状態で撮像装置３００を落下させ或いは障害物に当ててしまった場合の、衝撃力が加わる方向と衝撃力を受けやすい部位との関係を考慮して、レンズ鏡筒１００の耐衝撃性を向上させている。以下に、耐衝撃性を向上させたレンズ鏡筒１００の具体的な構造について説明する。
【００１６】
図２（ａ）は、レンズ鏡筒１００の先端部の正面図である。図２（ｂ）は、図２（ａ）に示す矢視Ｂ−Ｂでの断面図である。レンズ鏡筒１００は、レンズ５０（光学部材）、直進筒１０（第１の筒状部品）、フィルタ枠２０（第２の筒状部品）及び外装環３０（第３の筒状部品）を備える。
【００１７】
直進筒１０は、樹脂で成形されており、レンズ５０を保持している。なお、レンズ５０は、熱カシメや接着により直進筒１０に固定されるが、レンズ５０の固定方法はこれらの方法に限られるものではない。フィルタ枠２０は、樹脂で成形されており、レンズ５０を保護するためのフィルタ、光量調整や波長制限等を行うフィルタ等の光学部品を取り付けるための取り付け部を有している。フィルタ枠２０には、ポリカーボネートやガラス入りポリカーボネート等の樹脂材料を用いることができるが、これらに限定されるものではない。外装環３０は、樹脂で成形されており、直進筒１０とフィルタ枠２０のそれぞれの外周部を覆うように配置されている。外装環３０には、ポリカーボネートやガラス入りポリカーボネート等の樹脂材料を用いることができるが、これらに限定されるものではない。外装環３０とフィルタ枠２０とは嵌合部３０ｂにおいて、フィルタ枠２０の径方向（光軸ＯＡと直交する方向）に嵌合している。また、フィルタ枠２０と外装環３０は、ビス４０（固定部材）により、直進筒１０に対して複数箇所（本実施形態では３箇所）で固定されている。なお、また、図２（ａ）では、レンズ鏡筒１００の前方からビス４０を視認することができるが、ビス４０を不図示の円環状の化粧板等を装着して目隠しすることで、外観の質の低下を防ぐことができる。
【００１８】
次に、レンズ鏡筒１００の先端部上側及びレンズ鏡筒１００の先端部下側の構造について詳細に説明する。レンズ鏡筒１００の先端部上側は、図２（ａ）では矢印Ｃが指す位置とその近傍であり、図２（ｂ）に示す第１の衝撃吸収部Ｓ１を含む。また、レンズ鏡筒１００の先端部下側は、図２（ａ）では矢印Ｄが指す位置とその近傍であり、図２（ｂ）に示す第２の衝撃吸収部Ｓ２を含む。
【００１９】
先ず、レンズ鏡筒１００の先端部上側に設けられた第１の衝撃吸収部Ｓ１について説明する。レンズ鏡筒１００の先端部上側は、前述の通り、主に光軸ＯＡと直交する方向からの衝撃力を受けやすい。そこで、図２（ｂ）に示すように、外装環３０の外周側から衝撃力としての外力Ｆ１が加わることを想定する。外装環３０は、ビス４０により直進筒１０に固定された部分から所定の厚さの環状部３０ａを介して嵌合部３０ｂへつながる構造となっている。外装環３０は、外力Ｆ１を受けた場合には、環状部３０ａが弾性変形して、嵌合部３０ｂがフィルタ枠２０を内径側（光軸ＯＡ側）へ押圧する。
【００２０】
レンズ鏡筒１００では、嵌合部３０ｂとビス４０とが光軸方向において異なる位置に配置され、且つ、先端部上側においてフィルタ枠２０の外周側には外装環３０との間に第１の間隙部３２（空間）が形成されている。第１の間隙部３２の光軸ＯＡを含む平面での断面形状は、光軸方向長さが径方向長さよりも長い略長方形の形状となっている。これにより、嵌合部３０ｂを通じて外力がフィルタ枠２０へ伝達された場合、フィルタ枠２０へ伝達された外力によってビス４０を支点としてフィルタ枠２０が撓むことで、破損を回避することが可能な構造となっている。
【００２１】
このように、本実施形態では、フィルタ枠２０、環状部３０ａ及び嵌合部３０ｂを有する外装環３０、フィルタ枠２０と外装環３０の間に設けられた第１の間隙部３２を有する第１の衝撃吸収部Ｓ１をレンズ鏡筒１００の先端部上側に設けている。これにより、レンズ鏡筒１００の先端部上側に加えられやすい外力に起因するレンズ鏡筒１００の破損を効率的に回避することが可能となる。
【００２２】
図３は、第１の衝撃吸収部Ｓ１の拡大図である。図３に示すように、環状部３０ａの光軸方向長さをＬ１、径方向厚みをｈ１とする。また、フィルタ枠２０の外周面においてビス４０に止められている面から嵌合部３０ｂまでの光軸方向長さをＬ２、径方向厚みをｈ２とする。フィルタ枠２０と外装環３０との変形が同程度であると、フィルタ枠２０と外装環３０とで均等に外力を吸収することができる。よって、Ｌ１／ｈ１の値とＬ２／ｈ２の値を同等とすることが望ましく、これにより、第１の衝撃吸収部Ｓ１においてフィルタ枠２０と外装環３０いずれか一方に破損が生じてしまうのを回避することができる。
【００２３】
続いて、レンズ鏡筒１００の先端部下側に設けられた第２の衝撃吸収部Ｓ２について説明する。レンズ鏡筒１００の先端部下側は、前述の通り、主に光軸方向からの衝撃力を受けやすい。そこで、図２（ｂ）に示すように、外装環３０の外周側から衝撃力としての外力Ｆ２が加わることを想定する。フィルタ枠２０は、外力Ｆ２により光軸方向をカメラボディ２００（図２（ｂ）に不図示）側へ押し込まれる。このとき、フィルタ枠２０と外装環３０は先端部上側と同様に嵌合部３０ｂで嵌合しているが、フィルタ枠２０と外装環３０は光軸方向と直交する方向で嵌合しているため、フィルタ枠２０の光軸方向への移動は阻害されない。
【００２４】
レンズ鏡筒１００の先端部下側にはビス４０が配置されておらず、そのため、レンズ鏡筒１００の先端部下側においてフィルタ枠２０の直進筒１０側（第２の筒状部品の第１の筒状部品側）には、外装環３０との間に第２の間隙部３３が形成されている。第２の間隙部３３の光軸ＯＡを含む平面での断面形状は、光軸方向長さが径方向長さよりも短い略長方形の形状となっている。よって、フィルタ枠２０は、外力Ｆ２を受けたときに、第２の間隙部３３に逃げるように変形することが可能となっていることで、破損を回避することができる。
【００２５】
第２の間隙部３３は、フィルタ枠２０が第２の間隙部３３側に逃げるように変形しても破損しない程度の形状に設定することが望ましい。例えば、フィルタ枠２０において第２の間隙部３３が形成されている段差部の周方向長さ（図２（ａ）参照）が４０ｍｍであるときに、第２の間隙部３３の光軸方向長さを２ｍｍ程度とすることができる。これにより、撮像装置３００の一般的な使用状況下においてレンズ鏡筒１００の先端部下側に加わる外力に対してレンズ鏡筒１００を破損し難い構造とすることができる。
【００２６】
このように、本実施形態では、フィルタ枠２０、外装環３０、フィルタ枠２０と外装環３０の間に設けられた第２の間隙部３３を有する第２の衝撃吸収部Ｓ２をレンズ鏡筒１００の先端部下側に設けている。これにより、レンズ鏡筒１００の先端部下側に加えられやすい外力に起因するレンズ鏡筒１００の破損を効率的に回避することが可能となる。以上の説明の通りに本実施形態では、レンズ鏡筒１００において外力が加わりやすい部位ごとに、加えられる外力の方向を加味した衝撃吸収部を設けており、これにより、レンズ鏡筒１００の耐久性を向上させている。
【００２７】
次に、レンズ鏡筒１００にフードを取り付けた構成について説明する。図４（ａ）は、フード６０が装着されたレンズ鏡筒１００の先端部の正面図である。図４（ｂ）は、図４（ａ）に示す矢視Ｅ−Ｅの断面図である。フード６０は、レンズ鏡筒１００の光路内への不用光の侵入を抑制する遮光部材であり、例えば、ポリカーボネートやガラス入りポリカーボネート等で成形されている。フィルタ枠２０には、光軸ＯＡを挟んで対向する２箇所に、周方向に延材する固定鍔部２０ａが形成されている。固定鍔部２０ａは、フード６０をレンズ鏡筒１００（フィルタ枠２０、外装環３０）に固定するバヨネット構造部の一部である。固定鍔部２０ａと対応するように、フード６０には光軸ＯＡを挟んで対向する２箇所に、周方向に延材する突起部６０ａが形成されている。
【００２８】
フード６０がレンズ鏡筒１００に装着された状態では突起部６０ａが外装環３０と固定鍔部２０ａとの間に光軸方向において挟まれており、よって、フード６０が光軸方向には簡単には抜けない状態となる。しかし、前述したように、フィルタ枠２０と外装環３０は嵌合部３０ｂで光軸ＯＡと直交する方向に嵌合しており、フィルタ枠２０は外装環３０に対して変形可能である。そのため、固定鍔部２０ａと外装環３０の間の隙間幅が変化することによって突起部６０ａが必要な強度で固定されないという問題が生じないようにする必要がある。
【００２９】
そこで、本実施形態では図４（ａ）に示すように、固定鍔部２０ａが形成されている範囲内（図４（ａ）の範囲Ｇ内）でフィルタ枠２０と外装環３０がビス４０により直進筒１０に固定されている。これにより、嵌合部３０ｂが変形し難くなり、固定鍔部２０ａと外装環３０との間に形成される光軸方向の隙間の形状が安定する（隙間が変形し難くなる）。したがって、フード６０を所望の強度でレンズ鏡筒１００に装着することが可能となる。レンズ鏡筒１００にフード６０が取り付けられた状態では、図２に示す外力Ｆ１，Ｆ２は共にフード６０が受けることになり、外力Ｆ１と外力Ｆ２はそれぞれフード６０を通じて第１の衝撃吸収部Ｓ１と第２の衝撃吸収部Ｓ２へ伝達される。その結果、既に説明した通り、第１の衝撃吸収部Ｓ１と第２の衝撃吸収部Ｓ２により、レンズ鏡筒１００の破損を回避することができる。
【００３０】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、本発明に係るレンズ鏡筒は、撮像装置以外の光学機器への適用も可能である。
【符号の説明】
【００３１】
１０    直進筒
２０    フィルタ枠
２０ａ    固定鍔部
３０    外装環
３０ｂ    嵌合部
３２    第１の間隙部
３３    第２の間隙部
４０    ビス
５０    レンズ
１００    レンズ鏡筒
【図１】
2019113678.tif 000003
【図２】
2019113678.tif 000004
【図３】
2019113678.tif 000005
【図４】
2019113678.tif 000006